(57)【要約】【課題】全体表示としての画質を向上させ、かつ、調整作業が短時間で行える表示装置を提供する。【解決手段】画像データを分配できる分配部３と、互いに隣接して配置された複数の表示パネル５，６，７，８と、各表示パネル表示を制御する各制御部１０と１１，１２，１３とを備え、各表示パネル５，６，７，８の画質調整時に、各表示パネルに同一の画像を表示させ、画質調整後に各表示パネルに、分配された画像データによる画像を表示させる。また、望ましくは、入力手段と、制御手段とを設け、入力手段が第１モードに選択されると、制御手段は分配部をして、画像データを分配せずに出力させ、各表示パネルをして、画像データによる同一画像を表示させる。【選択図】    図１
2004205781.tif 000002
【特許請求の範囲】
【請求項１】
画像データを分配できる分配部と、互いに隣接して配置された複数の表示パネルと、各表示パネルの表示を制御する各制御部とを備え、各表示パネルの画質調整時に、各表示パネルに同一の画像を表示させ、画質調整後に各表示パネルに、分配された画像データによる画像を表示させる事を特徴とする表示装置。
【請求項２】
入力手段と、制御手段とを設け、前記入力手段が第１モードに選択されると、前記制御手段は前記分配部をして、前記画像データを分配せずに出力させ、各表示パネルをして、前記画像データによる同一画像を表示させる事を特徴とする請求項１の表示装置。
【請求項３】
入力手段と、制御手段とを設け、前記入力手段が第２モードに選択されると、前記制御手段は前記分配部をして、前記画像データを分配して出力させ、各表示パネルをして、分配された前記画像データによる画像を表示させる事を特徴とする請求項１の表示装置。
【請求項４】
入力手段と、制御手段とを設け、前記入力手段に画像調整入力がなされると、前記制御手段は前記制御部を介して、特定の表示パネルに対し、前記画像調整入力に従う画質で表示させ、他の表示パネルに対し、前記画質と同一の画質で表示させる事を特徴とする請求項１の表示装置。
【発明の詳細な説明】
【０００１】
【発明の属する技術分野】
本発明は表示装置に関する。
【０００２】
【従来の技術】
従来、複数の表示パネルを隣接して配置させ、大型の表示面を有する表示装置が提案されている（例えば、特許文献１を参照）。上記装置では、各表示パネル毎に、各制御部が設けられ、各制御部に各画質調整入力部が設けられている。
【０００３】
【特許文献１】
特開平９−３１９３３７号公報
【０００４】
【発明が解決しようとする課題】
上記装置では、各表示パネルに分割された画像を表示させた後に、各表示パネルの画質調整（コントラスト、輝度、色相などの調整）を行っていた。この様に異なる画像に従い、各々、画質調整を行うので、全体として表示させた場合、画質（画像品質）が良くない第１の欠点がある。
【０００５】
また、各表示パネル毎に画質調整を行うので、調整作業に手間が掛かる第２の欠点がある。故に、本発明はこの様な従来の欠点を考慮して、全体表示としての画質を向上させ、かつ、調整作業が短時間で行える表示装置を提供する。
【０００６】
【課題を解決するための手段】
上記課題を解決するために、請求項１の本発明では、画像データを分配できる分配部と、互いに隣接して配置された複数の表示パネルと、各表示パネルの表示を制御する各制御部とを備え、各表示パネルの画質調整時に、各表示パネルに同一の画像を表示させ、画質調整後に各表示パネルに、分配された画像データによる画像を表示させる。
【０００７】
請求項２の本発明では、入力手段と、制御手段とを設け、前記入力手段が第１モードに選択されると、前記制御手段は前記分配部をして、前記画像データを分配せずに出力させ、各表示パネルをして、前記画像データによる同一画像を表示させる。
【０００８】
請求項３の本発明では、入力手段と、制御手段とを設け、前記入力手段が第２モードに選択されると、前記制御手段は前記分配部をして、前記画像データを分配して出力させ、各表示パネルをして、分配された前記画像データによる画像を表示させる。
【０００９】
請求項４の本発明では、入力手段と、制御手段とを設け、前記入力手段に画像調整入力がなされると、前記制御手段は前記制御部を介して、特定の表示パネルに対し、前記画像調整入力に従う画質で表示させ、他の表示パネルに対し、前記画質と同一の画質で表示させる。
【００１０】
【発明の実施の形態】
以下に、図１ないし図３に従い、本発明の実施の形態に係る表示装置１を説明する。図１は上記表示装置１のブロック図、図２は画質調整時の表示例、図３は画質調整後の表示例である。
【００１１】
これらの図において、入力部２は、画像データが入力されるものである。分配部３は、画像データを分配できるものである。分配部３の入力側は、入力部２に接続されている。制御手段４は例えばＣＰＵ等から成り、各部品を制御するものである。
【００１２】
各表示パネル５，６，７，８は例えばＬＣＤ（液晶表示装置）等から成り、互いに隣接して配置されている。例えば図１の様に、表示パネル５を左上に、表示パネル６を右上に、表示パネル７を左下に、表示パネル８を右下に配置する事により、表示パネル９は、あたかも１枚のパネルの様に見える。
【００１３】
制御部１０は、表示パネル５の表示を制御するものである。制御部１１は、表示パネル６の表示を制御するものである。制御部１２は表示パネル７の表示を制御するものである。制御部１３は表示パネル８の表示を制御するものである。
【００１４】
入力手段１４は例えば、キーや調整ボタン（ボリュウム）等から成る。入力手段１４は、画像調整入力部と、画像選択部（共に、図示せず）等から構成されている。入力手段１４は、制御手段４に接続されている。
【００１５】
画像調整入力部はコントラスト調整部と、輝度調整部と、色相調整部から成り例えば、共に、回転式の調整ボタン等にて構成されている。
【００１６】
画像選択部は例えば、トグルスイッチ等から成り、一側に押されると、画質調整中（第１モード）が選択される様に構成されている。また、画像選択部は他側に押されると、画質調整後（第２モード）が選択される様に構成されている。
【００１７】
ＲＯＭ１５はリードオンリーメモリであり、制御手段４の制御プログラムを記憶しており、制御手段４に接続されている。ＲＡＭ１６はランダムアクセスメモリであり、制御手段４に接続されている。
【００１８】
この様に、制御部１０，１１，１２，１３の各入力側と、ＲＡＭ１６と、ＲＯＭ１５と、入力手段１４と、分配部３の入力側は各々、制御手段４に接続されている。以上の部品により、この表示装置１は構成されている。
【００１９】
次に、主に、図２に従って、この表示装置１の画質調整時の動作を説明する。最初に、作業者は、入力手段１４に設けられた画像選択部を一側に押すと、第１モード（画質調整中）が選択される。
【００２０】
この様に、入力手段１４が第１モードに選択されると、制御手段４は分配部３に対し、入力部２から入力された画像データを分配せずに、制御部１０，１１，１２，１３に対し、そのまま出力する。
【００２１】
その結果として、制御部１０，１１，１２，１３に各々接続された表示パネル５，６，７、８は上記画像データによる同一画像Ａを表示させる（図２参照）。この様に、本発明は、各表示パネル５，６，７，８の画質調整時に、各表示パネル５，６，７，８に、同一画像Ａを表示させる事を第１の特徴とする。
【００２２】
次に作業者は、入力手段１４に設けられた画質調整入力部のコントラスト調整部と、輝度調整部と、色相調整部を各々、調整するものとする。
【００２３】
この時、制御手段４は、上記画質調整入力を、制御部１０のみに出力させ、制御部１１，１２，１３に入力させない。作業者は、表示パネル５の画像Ａのみを見ながら、画質が最良の状態になる様に、コントラストと、輝度と、色相を各々、調整する。その結果、表示パネル５の画質は最良の状態になったとする。
【００２４】
次に、制御手段４は制御部１１，１２，１３に対し、制御部１０に入力された画質の設定値（最良のもの）を出力する。または、上書きしても良い。その結果表示パネル６，７，８は、表示パネル５と同じ、最良の状態となる。
【００２５】
この様に、入力手段１４に画質調整入力がなされると、制御手段４は制御部１０を介して、特定の表示パネル５に対し、上記画質調整入力に従う画質で表示させ、他の表示パネル６，７，８に対し、上記画質と同一の画質で表示させる事を本発明の第２の特徴とする。
【００２６】
上記構成により、作業者は表示パネル５のみの画質を調整すれば良く、他の表示パネル６，７，８は自動的に、画質調整されるので、作業時間は、従来の約１／４倍に短縮される。
【００２７】
次に主に、図３に従って、表示装置１の画質調整後の動作を説明する。最初に作業者は、入力手段１４に設けられた画像選択部を他側に押すと、第２モード（画質調整後）が選択される。
【００２８】
この様に、入力手段１４が第２モードに選択されると、制御手段４は分配部３に対し、分配部３に入力した画像データを４個に分配（分割）して、各々、制御部１０，１１，１２，１３に対し、上記分配された画像データを出力する。
【００２９】
その結果として、制御部１０，１１，１２，１３に各々接続された表示パネル５，６，７、８は、分配された画像データによる各画像Ｂ，Ｃ，Ｄ，Ｅ（図３を参照）を表示させる。
【００３０】
この様に、画質調整後に、各表示パネル５，６，７，８に対し、分配された画像データを表示させる事を、本発明の第３の特徴とする。上記構成により、画像データは、拡大されて表示され、大画面表示が可能となる。
【００３１】
また、上述した本発明の第２の特徴と異なり、各表示パネル５，６，７，８の画質調整入力を各々、独立して行っても良い。これは各表示パネル５，６，７，８の特性のバラツキが大きい場合、各表示パネル５，６，７，８毎に画像調整した方が、全体としての画質が高くなるからである。
【００３２】
しかし、この時も、この表示装置１の画質調整時には、各表示パネル５，６，７，８に同一の画像Ａ（図２を参照）を表示させるものである（本発明の第１の特徴）。
【００３３】
上記構成により、同一条件（即ち、同一画像Ａを表示）にて表示させる事により、各表示パネル５，６，７，８を各々、画質調整した後に、全体の表示パネル９としての画質が向上する。
【００３４】
【発明の効果】
請求項１の本発明では、画像データを分配できる分配部と、互いに隣接して配置された複数の表示パネルと、各表示パネルの表示を制御する各制御部とを備え、各表示パネルの画質調整時に、各表示パネルに同一の画像を表示させ、画質調整後に各表示パネルに、分配された画像データによる画像を表示させる。この様に各表示パネルに同一の画像を表示させる事により、各画質調整が同一条件の下で行われるため、全体としての画質が向上する。
【００３５】
請求項２の本発明では、入力手段と、制御手段とを設け、前記入力手段が第１モードに選択されると、前記制御手段は前記分配部をして、前記画像データを分配せずに出力させ、各表示パネルをして、前記画像データによる同一画像を表示させる。この様に、分配部をして、画像データを分配せずに出力するため、各表示パネルに対し、容易に、かつ、正確に同一画像を表示させる事ができる。
【００３６】
請求項３の本発明では、入力手段と、制御手段とを設け、前記入力手段が第２モードに選択されると、前記制御手段は前記分配部をして、前記画像データを分配して出力させ、各表示パネルをして、分配された前記画像データによる画像を表示させる。上記構成により、画像データは、拡大されて表示でき、大画面表示は可能となる。
【００３７】
請求項４の本発明では、入力手段と、制御手段とを設け、前記入力手段に画像調整入力がなされると、前記制御手段は前記制御部を介して、特定の表示パネルに対し、前記画像調整入力に従う画質で表示させ、他の表示パネルに対し、前記画質と同一の画質で表示させる。上記構成により、作業者は特定の表示パネルのみの画質を調整すれば良く、他の表示パネルは自動的に画質調整されるので、作業時間は従来に比べ、格段に短縮される。
【図面の簡単な説明】
【図１】本発明の実施の形態に係る表示装置１のブロック図である。
【図２】上記装置１において、画質調整する時の表示例である。
【図３】上記装置１において、画質調整した後の表示例である。
【符号の説明】
３  分配部
５，６，７，８  表示パネル
１０，１１，１２，１３  制御部
【図１】
2004205781.tif 000003
【図２】
2004205781.tif 000004
【図３】
2004205781.tif 000005